(57)【要約】【課題】  印刷機の外側に位置するインキタンク及び洗浄廃液放出部５と、印刷機内のインキ貯留部とをインキ供給・回収装置で連繋し、インキタンクに自由にインキ補充を可能とする。【解決手段】  インキ貯留部11に臨みインキの供給、回収及びロール洗浄廃液の回収を兼用するノズル４と、一端が該ノズルに繋がり他端に該他端部をインキタンクと洗浄廃液放出部５に切換え可能な切換え部46を有する流通管44と、流通管44のインキ貯留部11側に設けた減圧、加圧式第１ポンプ手段Ｐ1と、流通管44のインキタンク３側に設けた第２ポンプ手段Ｐ2とによって構成される。【選択図】  図３
2005262811.tif 000002
【特許請求の範囲】
【請求項１】
インキ付けロール(１)と該インキ付けロールに押圧接触した絞り部材(20)との間に形成され該ロールに沿う長手方向の両端が堰部材(12)(12)によって閉塞したインキ貯留部(11)と、該インキ貯留部(11)から離れた位置にあるインキタンク(３)及び洗浄廃液放出部(５)との間でインキの供給と回収、及び洗浄廃液の回収を行うインキ供給・回収装置に於いて、
インキ貯留部(11)に臨みインキの供給、回収及びロール洗浄廃液の回収を兼用するノズル(４)と、一端が該ノズル(４)に繋がり他端に該端部をインキタンク(３)と洗浄廃液放出部(５)に切換え可能な切換え部(46)を有する流通管(44)と、流通管(44)のインキ貯留部(11)側に設けた第１ポンプ手段Ｐ1と、流通管(44)のインキタンク(３)側に設けた第２ポンプ手段Ｐ2とによって構成され、第１ポンプ手段Ｐ1は、ノズル(４)及び該ノズルへの流路を開閉するバルブ(63)を具え流通管(44)の一端を繋いで内部に開口させた密閉タンク(６)と、該密閉タンク(６)に接続された減圧用吸引管(35)及び加圧用エアー供給管(35a)とによって構成されているインキ供給・回収装置。
【請求項２】
第２ポンプ手段Ｐ2は、チュービングポンプである、請求項１又は２に記載のインキ供給・回収装置。
【請求項３】
ノズル(４)は、インキ貯留部(11)に沿って横移動可能且つ昇降可能に配備されている、請求項１又は２にインキ供給・回収装置。
【請求項４】
密閉タンク(６)には該タンク内を洗浄するための洗浄液供給ノズル(71)が配備されている、請求項１乃至３の何れかに記載のインキ供給・回収装置。
【請求項５】
請求項１乃至４の何れかに記載のインキ供給・回収装置と、インキ付けロール(１)及び絞り部材(20)を洗浄する洗浄液を供給する洗浄液供給部(７)と、インキ付けロール(１)から直接に或いは中間ロールを介して間接的に接する版胴(９)と、版胴に対向する受けロール(91)とを具え、版胴(９)と受けロール(91)との間にシートを通して印刷を行う印刷機。
【請求項６】
請求項１乃至４の何れかに記載のインキ供給・回収装置の、インキ貯留部(11)へインキを供給するインキ供給モード、インキ貯留部(11)とインキタンク(３)との間でインキを循環させるインキ循環モード、インキ貯留部(11)のインキをインキタンク(３)へ回収するインキ回収モード、ロールに対する洗浄モードを行なう制御システムであって、
インキ供給モードでは、第１ポンプ手段Ｐ1のバルブ(63)は「開」、第２ポンプ手段Ｐ2は「正運転」とする『供給動作』を行ってインキタンク(３)のインキをインキ貯留部(11)に供給し、
インキ循環モードでは、第２ポンプ手段Ｐ2は「逆運転」、第１ポンプ手段Ｐ1のバルブ(63)は「開」、減圧用吸引管(35)の吸引作用によって密閉タンク(６)内は「減圧」、としてインキ貯留部(11)のインキをインキタンク(３)側に回収する『回収動作』と、前記『供給動作』を規則的に繰り返し、
インキ回収モードでは、前記『回収動作』を行ってインキ貯留部(11)のインキをインキタンク(３)に回収し、
洗浄モードでは、流通管(44)の切換え部(46)を洗浄廃液放出部(５)側に切り換えた状態で、前記『回収動作』を行ってインキ貯留部(11)の洗浄廃液を洗浄廃液放出部(５)に回収することを特徴とする制御システム。
【請求項７】
インキ循環モードにおいて、『回収動作』と『供給動作』の夫々の後で、バルブ(63)は「閉」、第２ポンプ手段Ｐ2は「逆運転」、密閉タンク(６)内は「加圧」、として流通管(44)内に残存するインキをインキタンク(３)に回収する『補助回収動作』が加わる請求項６に記載の制御システム。
【請求項８】
洗浄モードは、開始時に、『補助回収動作』を行なって流通管(44)に残存するインキをインキタンク(３)に回収する作業、及び密閉タンク(６)内の洗浄作業及び『補助回収動作』による密閉タンク(６)内の洗浄廃液を洗浄廃液放出部(５)に回収する作業を含む請求項６又は７に記載の制御システム。
【発明の詳細な説明】
【技術分野】
【０００１】
本発明は、両端が閉塞したインキ貯留部と該インキ貯留部から離れた位置にあるインキタンク及び洗浄廃液放出部との間で、共通の流通管を通じてインキの供給と回収、及び洗浄廃液の回収を行うインキ供給・回収装置、該インキ供給・回収装置を具えた印刷機及びインキ供給・回収装置の制御システムに関する。
【背景技術】
【０００２】
段ボールシートの印刷にはフレキソ印刷の様に、低粘度で速乾性の水性インキを使用するものと、プリスロ印刷の様に高粘度で遅乾性のインキを使用する方式がある。
低粘度のインキは、流動させておかなければ短時間で粘度上昇し、印刷に支障を来す。  このため図７に示す如く、インキ付けロール(１)と該インキ付けロールに押圧接触させた絞りロール(２)との間に形成されるインキ貯留部(11)にインキを供給し、インキ貯留部(11)の両端から受け皿(500)(500)にインキを流出させ、受け皿(500)からインキ戻り管路(501)を通じてインキタンク(502)にインキを回収する。又、インキタンク(502)内のインキをポンプ(503)で吸い上げ、インキ供給管(504)を通じて前記インキ貯留部(11)に供給し、この様にしてインキ貯留部(11)とインキタンク(502)との間でインキを循環させてインキの粘度上昇を抑えている。
【０００３】
インキの色替えの際に、ロール(１)(２)を洗浄するための洗浄液は、上記インキ供給管(504)に接続した洗浄液供給管(507)からインキ供給管(504)を通じてインキ貯留部(11)に供給され、ロール(１)(２)の回転によってロールの洗浄が行われる。
洗浄廃液は、インキ戻り管(501)から切換弁(505)を介して廃液回収タンク(506)に回収される。
上記の場合、インキの循環管路は、インキ供給管(504)とインキ戻り管(501)が必要となって長尺化する。又、インキの回収は管路内でのインキの自重落下であるから、管路を４０mm程度に太くしてインキをスムーズに回収する必要がある。
インキが流通する管路が太く、長くなると、インキの色替えの際に、回収しきれずに管路内面に膜状に付着して残存するインキの量は当然のことながら多くなる。又、受け皿(500)(500)に付着したまま残存するインキ量も多く、これらインキはロール洗浄の際に、洗浄液と一緒に洗い流されるので、インキを無駄に消費してしまう。又、管路内や受け皿に多量に付着したインキをロール洗浄の際に一緒に洗い流すには、多量の洗浄液を必要とし、廃液処理の問題もあった。
【０００４】
そこで、出願人は、インキ貯留部とインキタンク及び廃液回収タンクとの間の配管を短く、且つ簡素化するために、以前に図８に示すインキの供給・回収装置を提案した(特許文献１)。
該インキ供給・回収装置では、インキ付けロール(１)と絞りロール(２)との間に形成されるインキ貯留部(11)は、両端が堰部材(12)(12)によって閉塞している。
インキの供給、回収及びロール洗浄廃液の回収を兼用するノズル(４)をインキ貯留部(11)に臨ませ、印刷機の外側にインキタンク(３)及び廃液回収タンク(50)に共通の流通管(44)及び切換弁(45)を配備し、前記ノズル(４)を流通管(44)に連繋する。
インキタンク(３)を密閉ボックス(31)に収容して該密閉ボックスに減圧用吸引管(35)と加圧用エアー供給管(35a)を連繋する。
廃液回収タンク(50)は外気と遮断可能であって減圧用吸引管(51)に連繋されている。        
【０００５】
密閉ボックス(31)内を加圧することにより、インキタンク(３)内のインキを流通管(44)を通じてインキ貯留部(11)に供給できる。
密閉ボックス(31)内を減圧することにより、インキ貯留部(11)のインキをインキタンク(３)に吸引回収できる。
印刷運転中は、インキ貯留部(11)内のインキを一定量だけインキタンク(３)へ回収することと、インキタンク(３)からインキ貯留部(11)へインキを供給することを規則的に繰り返してインキ貯留部(11)にインキの流れを生じさせて、インキの粘度上昇を防止する。
インキの色替えの際に行うロール洗浄で、インキ貯留部(11)に溜まった洗浄廃液は、切換弁(45)を廃液回収タンク(50)側に切り換え、廃液回収タンク(50)を減圧することにより、該廃液回収タンク(50)に回収できる。
インキと洗浄廃液を、インキの供給と回収を行う流通管(44)を用いて行なうため、廃液回収専用の管路は不要であり、配管が短くて済む。又、そのため、流通管(44)内面に付着して残存するインキの量は微量である。これによって、ロール(１)(２)や、ノズル(４)を含む流通管(44)内面の洗浄に要する洗浄液は少量で済み、洗浄廃液の処理も容易である。
又、洗浄廃液が流通管(44)を通過する際に、流通管(44)の洗浄がなされること、及び洗浄廃液回収時、ノズル(４)は洗浄廃液に浸かっており、ノズル先端外周面は洗浄廃液によって洗い流されることにより、ノズル(４)及び流通管(44)をロール(１)(２)と別個に洗浄する必要はない。このため、インキの色替えの都度、ノズル(４)及び流通管(44)を交換する必要はない。
従って、該流通管(44)を印刷機の外側へ引き出して固定配管とし、密閉ボックス(31)を印刷機の外側に配置し、インキの補給を印刷機の外側から行うことができる利点がある。
【０００６】
【特許文献１】特開２００３−１９１４４４号公報
【発明の開示】
【発明が解決しようとする課題】
【０００７】
上記図８に示すインキ供給・回収装置の場合、インキタンク(３)へのインキの補充は、密閉ボックス(31)と減圧用吸引管(35)及び加圧用エアー供給管(35a)を遮断し、密閉ボックス(31)を開かないとできない。即ち、印刷運転中は、インキタンク(３)へのインキ補充は出来ない。印刷のロット数が多い場合、最初にインキタンク(３)を満タンにしておいても、インキの補充が必要であり、インキの補充毎に、印刷機の運転を停止することは、印刷機の稼働率を低下させる大きな問題となる。
本発明は、インキと洗浄廃液を通す共通の流通管を有するインキ供給・回収装置において、印刷運転を停めることなくインキタンクへのインキの補充を可能としたインキ供給・回収装置、該インキ供給・回収装置を具えた印刷装置及びインキ供給・回収装置の制御システムを明らかにするものである。
【課題を解決するための手段】
【０００８】
本発明のインキ供給・回収装置は、インキ付けロール(１)と該インキ付けロールに押圧接触した絞り部材(20)との間に形成され該ロールに沿う長手方向の両端が堰部材(12)(12)によって閉塞したインキ貯留部(11)と、該インキ貯留部(11)から離れた位置にあるインキタンク(３)及び洗浄廃液放出部(５)との間でインキの供給と回収、及び洗浄廃液の回収を行うインキ供給・回収装置に於いて、
インキ貯留部(11)に臨みインキの供給、回収及びロール洗浄廃液の回収を兼用するノズル(４)と、一端が該ノズルに繋がり他端にインキタンクと洗浄廃液放出部(５)に切換え可能な切換え部(46)を有する流通管(44)と、流通管(44)のインキ貯留部(11)側に設けた第１ポンプ手段Ｐ1と、流通管(44)のインキタンク(３)側に設けた第２ポンプ手段Ｐ2とによって構成され、第１ポンプ手段Ｐ1は、ノズル(４)及び該ノズルへの流路を開閉するバルブ(63)を具え流通管(44)の一端を気密に貫通させた密閉タンク(６)と、該密閉タンク(６)に接続された減圧用吸引管(35)及び加圧用エアー供給管(35a)とによって構成されている。
【発明の効果】
【０００９】
インキ貯留部(11)へインキを供給するには、流通管(44)の切換え部(46)をインキタンク(３)側に切り換えて、インキタンク(３)からインキを吸引する様に第２ポンプ手段Ｐ2を動作(以下、「正運転」と呼ぶ)させる。
インキタンク(３)内のインキは、流通管(44)を通り、第１ポンプ手段Ｐ1を素通りしてノズル(４)からインキ貯留部(11)に供給される。
インキ貯留部(11)のインキをインキタンク(３)へ回収するには、 第２ポンプ手段Ｐ2を、インキタンク(３)へインキを回収する様に動作(以下、「逆運転」と呼ぶ)させ、第１ポンプ手段Ｐ1のバルブ(63)は「開」、密閉タンク(６)内は減圧用吸引管(35)による吸引によって「減圧」する。ノズル(４)に作用する吸引力によって、インキ貯留部(11)のインキは第１ポンプ手段Ｐ1へ吸引され、更に第２ポンプ手段Ｐ2によってインキタンク(３)へ回収される。
印刷運転中は、上記インキ貯留部(11)へのインキの供給とインキタンク(３)へのインキの回収を規則的に繰り返すことによって、インキ貯留部(11)にインキの流れを生じさせて、インキの粘度上昇を抑えることができる。
ロール洗浄によって、インキ貯留部(11)に溜まった洗浄廃液を排除するには、切換え部(46)を洗浄廃液放出部(５)側に切り換えて、前記インキの回収の際と同様にして、第１ポンプ手段Ｐ1と第２ポンプ手段Ｐ2を動作させる。インキ貯留部(11)の洗浄廃液は、第１ポンプ手段Ｐ1へ吸引され、更に第２ポンプ手段Ｐ2によって洗浄廃液放出部(５)へ回収される。
インキタンク(３)は、従来の様に、加圧、減圧用の密閉ボックスに収容されているのではないから、制約されることなく、いつでも、自由にインキタンク(３)にインキの補充ができる。
又、洗浄廃液が流通管(44)を通過する際に、流通管(44)の洗浄がなされること、及び洗浄廃液回収時、ノズル(４)は洗浄廃液に浸かっており、ノズル先端外周面までもが廃液によって洗い流されることにより、ノズル(４)及び流通管(44)を、ロール(１)や絞り部材(20)と別個に洗浄する必要はなく、インキの色替えの都度、ノズル(４)及び流通管(44)を交換する必要はない。
従って、例えば該流通管(44)を印刷機の外側へ引き出して固定配管とし、インキタンク(３)を印刷機の外側に配置し、印刷中でもインキの補給を印刷機の外側から自由に行うことができる。
【発明を実施するための最良の形態】
【００１０】
印刷機の概略
図１は、粘度の低い水性インキを用いる段ボール印刷機であって、該印刷機は、積み重ねた段ボールシートを１枚づつ印刷ユニットに送り出す給紙装置(200)、印刷の色数に応じた複数基の印刷ユニットＵ1、Ｕ2、Ｕ3、及び印刷したシートを函形状に対応して打ち抜き且つ折曲げ線に対応して罫線を施す打抜き罫線装置(300)を有している。
各印刷ユニットＵ1、Ｕ2、Ｕ3は、レール(102)(102)上を移動可能に配備され、隣り合う印刷ユニット間は開閉可能である。
印刷運転中は、隣り合うユニット間は閉じられているが、印版の交換やメンテナンスの際には、例えば二点鎖線で示す如く、ユニットＵ2とＵ3との間を開いて、作業空間Ｘを確保できる。
各ユニットの外側下部に載せ台(32)が突設され、該載せ台(32)上に上面開口のインキタンク(３)が載せられている。
図２に示す如く、印刷機を設置する床面には、上記レール(102)に沿って、洗浄廃液放出部(５)となる排水溝(52)が設けられている。
【００１１】
各印刷ユニットのフレーム(100)上部に、インキ付けロール(１)と絞りロール(２)を相対的に接近離間可能に配備し、接触状態の両者の間に、底部が徐々に狭まった溝状のインキ貯留部(11)を形成している。
インキ付けロール(１)は、セラミックロール、メッキロール等の硬質ロールの表面にインキ溜まりとなる微細な凹凸が形成されている。
絞りロール(２)は、表面がゴムで形成されている。
インキ貯留部(11)のロールに沿う長手方向の両端は、堰部材(12)(12)によって閉塞している。
インキ付けロール(１)の下方に該ロールに接して版胴(９)が配備され、該版胴(９)の下方に受けロール(91)が配備される。
インキ付けロール(１)と絞りロール(２)が互いにインキ貯留部(11)のインキを絞る方向に回転し、インキ付けロール(１)表面のインキが版胴(９)上の印版(図示せず)に転移し、版胴(９)と受けロール(91)との間に供給される段ボールシートＳに印刷を行う。
上記インキ貯留部(11)と、インキタンク(３)及び洗浄廃液放出部(５)とが後記するインキ供給・回収装置によって連繋され、インキ貯留部(11)へのインキの供給と、インキ貯留部(11)からのインキの回収、或いはインキ貯留部(11)に溜まった洗浄廃液の回収が成される。
印刷中のインキ貯留部(11)のインキ液面高さは、液面センサー(図示せず)によって設定高さ範囲に制御される。
インキ付けロール(１)の上方に１又は複数の洗浄液供給部(７)が配備される。
【００１２】
インキ供給・回収装置
インキ供給・回収装置は、インキ貯留部(11)に臨みインキの供給、回収及びロール洗浄廃液の回収を兼用するノズル(４)と、一端が該ノズル(４)に繋がり他端に該端部をインキタンク(３)と洗浄廃液放出部(５)に切換え可能な切換え部(46)を有する流通管(44)と、流通管(44)のインキ貯留部(11)側に設けた第１ポンプ手段Ｐ1と、流通管(44)のインクタンク側に設けた第２ポンプ手段Ｐ2とによって構成される。
【００１３】
図３に示す如く、第１ポンプ手段Ｐ1は、密閉タンク(６)内に前記流通管(44)を導き、密閉タンク(６)の下端に前記ノズル(４)を連繋し、密閉タンク(６)内に、該タンクとノズル(４)の流路を開閉するバルブ(63)を設け、該密閉タンク(６)に減圧用吸引管(35)及び加圧用エアー供給管(35a)を接続して構成される。
図２示す如く、前記絞りロール(２)の上方にて、スライド台(60)がガイド条(41)上に沿ってロール(１)(２)と平行にスライド可能に配備され、該スライド台(60)上に密閉タンク(６)が設置されている。
密閉タンク(６)は、天井壁(62)で塞がった円筒部の下方を逆錘状に縮径し、下端にバルブ(63)を具えた流通孔(61)を開口している。
バルブ(63)は、密閉タンク(６)の天井壁(62)の中央部を上下にスライド可能且つ気密に貫通して垂下した軸体(64)と、軸体(64)の下端に流通孔(61)に対向して設けた栓体(65)と、天井壁(62)上に配備され軸体(64)を上下駆動する開閉手段(66)とによって構成される。
開閉手段(66)によって軸体(64)を下降させれば栓体(65)が流通孔(61)を塞ぎ、軸体(64)を上昇させれば栓体(65)が流通孔(61)を開く。
開閉手段(66)は、エアーシリンダ、ソレノイド等、軸体(64)を昇降させることが出来れば構成は問わない。
前記流通管(44)は、密閉タンク(６)の天井壁(62)を貫通して先端が流通孔(61)の近傍に達している。
【００１４】
スライド台(60)の下部に昇降台(40)が配備され、該昇降台(40)からロールの長手方向に間隔を存して２本のノズル(４)(４)が垂下している。
密閉タンク(６)の流通孔(61)から下向きに二股管(42)が突設され、可撓性チューブ(43)(43)を介して二股管(42)と２本のノズル(４)(４)が接続される。
可撓性チューブ(43)は、下記のノズル(４)の昇降ストロークに対応する余裕のある長さである。
昇降台(40)はエアーシリンダ、ソレノイド等の昇降駆動装置(図示せず)に連繋され、ノズル(４)の先端高さを、「高位置」、「中間高さ位置」、「低位置」の３段に切替え可能である。
高位置のノズル(４)の下端は、インキ貯留部(11)でのインキの設定液面高さより少し上位置である。
中間位置のノズル(４)の下端は、インキ液面の設定高さより少し低い位置にあって、インキに浸かっている。
低位置のノズル(４)の下端は、ロール(１)(２)間に辛うじて噛み込まない程度までインキ貯留部(11)の最も深い部分に侵入する。
ノズル(４)の下端は、インキ貯留部(11)の底形状に対応して両ロール(１)(２)側の面が斜めにカットされて楔状に尖っている。
ノズル(４)を２本としたのは、第１ポンプ手段Ｐ1がインキ貯留部(11)の左右何れの方向にスライド移動しても、スライド台(60)や密閉タンク(６)が印刷ユニットのフレーム(100)に衝突することなく、インキ貯留部(11)の端に何れか一方のノズルが届く様にするためであり、その様な問題がなければ、ノズル(４)は１本でもよい。
【００１５】
密閉タンク(６)内には、長短２本の電極棒(67a)(67b)による液面検出器(67)と、タンク内を洗浄するための洗浄液噴射ノズル(71)が配備されている。
後記する各モードで、密閉タンク(６)内にインキ或いは洗浄廃液が流入した際、液面が設定高さ以上に上昇すると、インキ又は洗浄液の流入は停止する様に制御される。
前記減圧用吸引管(35)及び加圧用エアー供給管(35a)は、密閉タンク(６)内の設定液面高さよりも高位置に繋がれている。
洗浄液噴射ノズル(71)は洗浄液供給管部(72)に接続され、洗浄液供給部(７)上の切換弁(図示せず)を、予め設定したプログラムによって制御し、洗浄液噴射ノズル(71)から密閉タンク(６)内に洗浄液を噴射できる。
実施例では、密閉タンク(６)の天井壁(62)上に、密閉タンク(６)の軸心を挟んで対称位置に２基の洗浄液噴射ノズル(71)が配備される。洗浄液噴射ノズル(71)は洗浄液を円錐状に拡散して噴射する。
【００１６】
前記流通管(44)は、ユニットフレーム(100)の側壁の外側にて上部から下部に向かう縦管(44a)と、縦管(44a)の上端から密閉タンク(６)に至る長尺フレキシブルチューブ(44b)と、縦管(44a)の下端から延長した短尺フレキシブルチューブ(44c)とからなる。
長尺フレキシブルチューブ(44b)は、前記密閉タンク(６)の横移動ストロークに対して余裕のある長さである。
短尺フレキシブルチューブ(44c)は、流通管(44)をインキタンク(３)と洗浄廃液放出部(５)とに切り換える切換え部(46)となっており、短尺フレキシブルチューブ(44c)の先端を手動でインキタンク(３)に浸け、或いは短尺フレキシブルチューブ(44c)をインキタンクから外して洗浄廃液放出部(５)へ向けることによって、切り換えできる。
【００１７】
更に、図３に示す如く、本実施例では、前記流通管(44)上のインキタンク(３)側の第２ポンプ手段Ｐ2は、チュービングポンプであって、上記短尺フレキシブルチューブ(44c)の中央部を円弧壁(44d)に当てて彎曲させ、彎曲の曲率中心に配置した回転体(44e)上のローラ(44f)で短尺フレキシブルチューブ(44c)を断続的に押圧して弾性変形させ、短尺フレキシブルチューブ(44c)に流体の移送機能を付与するものである。
縦管(44a)及びフレキシブルチューブ(44b)(44c)の内径は８〜１３mm程度の細管である。これは従来の水性速乾性インキ循環式の管路の内径４０mmに較べて、直径で１／３以下である。
図３において、回転体(44e)が反時計方向に回転してインキタンク(３)のインキを第１ポンプ手段Ｐ1側に送るの「正運転」、回転体(44e)が時計方向に回転してインキをインキタンク(３)に戻すのが「逆運転」とする。
【００１８】
加圧及び減圧用エアー回路Ｙ
図４に示す如く、エアー回路Ｙは、コンプレッサー(400)から第１、第２流路(400a)(400b)を分岐して形成する。
第１流路(400a)は、減圧、加圧共用管(35)を経て密閉タンク(６)に繋がり、第２流路(400b)は、エゼクター(真空発生器)(406)、切換弁(408)を介して共用管(35)に合流している。
エゼクター(406)は、第２流路(400b)から該エゼクターへ圧縮空気を送入することにより、第１流路(400a)側を吸引して真空を発生させる公知のものである。
上記エゼクター(406)から、第２流路(400b)の延長上に第３流路(400c)が延び、サイレンサー(407)を介して大気に開放されている。
第１流路(400a)には、密閉タンク(６)への分岐部(400d)とコンプレッサー(400)との間にて、上流側から順に切換弁(401)、減圧弁(402)、切換弁(403)を設けている。
第２流路(400b)には、密閉タンク(６)への分岐部(400d)とコンプレッサー(400)との間にて、上流側から順に切換弁(404)、減圧弁(405)、前記エゼクター(406)、切換弁(408)を設けている。
各切換弁(401)(403)(404)(408)は、開閉に切換え可能な電磁弁である。
【００１９】
密閉タンク(６)に対する加圧時は、第２流路(400b)の２つの切換弁(404)(408)を閉じ、第１流路(400a)の２つの切換弁(401)(403)を開く。
コンプレッサー(400)からの高圧空気流が、矢印Ａで示す如く、減圧弁(402)、加圧用エアー供給管(35a)を通って密閉タンク(６)に流れ、密閉タンク(６)内を加圧する。
減圧時は、第２流路(400b)の２つの切換弁(408)(404)を開き、第１流路(400a)の２つの切換弁(401)(403)を閉じる。
コンプレッサー(400)からの高速空気は、矢印Ｂで示す如く、第２流路(400b)から第３流路(400c)へ流れ、矢印Ｃで示す様に、密閉タンク(６)側から第３流路(400c)への空気の流れが生じ、密閉タンク(６)内は負圧となる。
第３流路(400c)から高速空気流が大気に放出される際、サイレンサー(407)を通過するため、空気放出音は低くなり騒音を発しない。
尚、上記エアー回路Ｙは、密閉タンク(６)内を加圧と減圧に切換えるための一例を示したものに過ぎず、エアー回路は上記実施例に限るものではないことは勿論であり、加圧と減圧の切換えが速くできるほど望ましいのは当然である。
【００２０】
インキ供給・回収装置は、インキタンク(３)から空のインキ貯留部(11)にインキを供給するインキ供給モード、印刷運転中に、インキ貯留部(11)とインキタンク(３)との間でインキを循環させるインキ循環モード、インキ貯留部(11)からインキをインキタンク(３)に回収するインキ回収モード、インキ付けロール(１)と絞りロール(２)を洗浄する洗浄モードの各モードに応じて制御される。
洗浄モードは、密閉タンク(６)内の洗浄及びインキ貯留部(11)内に溜まった洗浄廃液を洗浄廃液放出部(５)に回収する動作を含んでいる。
【００２１】
ノズル(４)を含む第１ポンプ手段Ｐ1を搭載したスライド台(60)をスライド駆動する駆動装置(図示せず)は、ノズル(４)が次の様に動作する様に制御される。
インキ回収モード、洗浄廃液回収動作では、ノズル(４)はインキ貯留部(11)の全長に亘って１又は複数回往復走行する。
インキ循環モードでは、図５Ａに示す様に、インキ貯留部(11)の中央部に待機していたノズル(４)は、図５Ｂに示す如く、インキ貯留部(11)の一端へ移動し、該移動位置からインキ貯留部(11)の中央側に適宜区間、実施例では約５０cmスライドする。次に図５Ｃに示す如く、ノズル(４)をインキ貯留部(11)の他端へ移動し、該移動位置からインキ貯留部(11)の中央側に適宜区間、実施例では約５０cmスライドする。次にノズル(４)を該区間から離れた位置、実施例ではインキ貯留部(11)の中央に移動させ、ここで一旦停止させて１サイクルが終了し、このサイクルを繰り返す。
実施例では各モードの終了時、ノズル(４)はインキ貯留部(11)の長さ方向の中央にて「高位置」で待機する。
ノズルの「高位置」(先端がインキ液面より高い)」、「中間位置」(先端がインキ液面に浸かる)、「低位置」(先端がインキ貯留部(11)の底近傍)の高さ制御は、下記の説明の通りである。
【００２２】
次に、インキ供給・回収装置の各モードについてその動作を具体的に説明する(図９の「モード別動作表」を参照)。
以下の説明で、『供給動作』とは、インキタンク(３)側からインキ貯留部(11)へインキを供給する動作であって、第１ポンプ手段Ｐ1のバルブ(63)は「開」、第２ポンプ手段Ｐ2は「正運転」して、第２ポンプ手段Ｐ2の移送力により、第１ポンプ手段Ｐ1を素通りさせてインキ貯留部(11)にインキを供給するものとする。
『回収動作』とは、インキ貯留部(11)からインキタンク(３)へインキを回収し、又はインキ貯留部(11)内の洗浄廃液を洗浄廃液放出部(５)に回収する動作であって、第１ポンプ手段Ｐ1のバルブ(63)は「開」、減圧用吸引管(35)の吸引作用によって密閉タンク(６)内は「減圧」、第２ポンプ手段Ｐ2は「逆運転」する。
『補助回収動作』とは、流通管(44)内に残存するインキをインキタンク(３)に回収し、又は流通管(44)に残存する洗浄廃液を洗浄廃液放出部(５)に回収する動作であって、バルブ(63)は「閉」、タンク(６)内は「加圧」、第２ポンプ手段Ｐ2は「逆運転」する。
【００２３】
インキ供給モード
ノズル(４)の高さは、「高位置」又は「中間高さ位置」とする。図３において、流通管(44)の切換え部(46)を破線で示す様に、インキタンク(３)側に切り換えた状態で、『供給動作』を行ない、ポンプ手段Ｐ1を素通りさせてインキ貯留部(11)にインキを供給する。
このときインキ付けロール(１)(２)は回転させておき、インキ液面の線がロール(１)(２)に付着することを防止すると共に、インキに刺激を与えて攪拌効果を得る。
第２ポンプ手段Ｐ2はインキタンク(３)の近傍に配置されており、インキタンク(３)から速やかにインキを吸引できるのでインキ供給の立ち上がりを速くできる。
インキ供給の間、ノズル(４)は、インキ貯留部(11)のインキ貯留部(11)の略全長に亘って１又は複数回往復走行する。
インキ貯留部(11)のインキ液面の高さが設定高に達したことを液面センサー(図示せず)が検出してインキ供給は停止する。
次に、『補助回収動作』を行って、密閉タンク(６)及び流通管(44)内に残存しているインキをインキタンク(３)に強制回収する。
【００２４】
インキ循環モード(印刷運転中)
『回収動作』と『供給動作』を規則的に繰り返して、貯留部(11)とインキタンク(３)との間でインキを移動させる。
詳しくは、図５Ａに示す待機位置のノズルが、図５Ｂに示す様に、インキ貯留部(11)の一端側に移動し「中間高さ位置」に下降した状態で、横に５０cmスライドしながら、『回収動作』を行う。
このときのインキの回収量は、印刷の継続に支障のない範囲で多いほど望ましい(以下、同じ)。インキ貯留部(11)とインキタンク(３)との間でのインクの移動量が多くなるほど、インクの粘度上昇を抑える効果が増すからである。
次に、ノズル(４)を「高位置」にしてインキ貯留部(11)の他端側へ移動させる(図５Ｃ)。この移動中は、『補助回収動作』を行って、密閉タンク(６)及び流通管(44)内に残存しているインキをインキタンク(３)に強制回収する。
次に、ノズル(４)がインキ貯留部(11)の他端に達すれば、「中間高さ位置」に戻し、５０cm横移動させながら『回収動作』によって、インキ貯留部(11)のインキをインキタンク(３)側に回収する。
次に、ノズル(４)を「高位置」に戻すと共に、ノズル(４)をインキ貯留部(11)の中間位置に移動させる(図５Ａ)。この移動の間に、『補助回収動作』を行う。
ノズル(４)がインキ貯留部(11)の中間位置に達すると、『供給動作』によって、インキ貯留部(11)にインキを設定高さまで供給する。
次に、図５Ｂに示す如く、ノズル(４)をインキ貯留部(11)の端部へ横移動させると共に、ノズル(４)を「中間高さ位置」に戻す。この横移動の間に、『補助回収動作』を行う。
以上がインキ循環の１サイクルであって、循環モード(印刷運転中)は、このサイクルを繰り返す。
ノズル(４)がインキ貯留部(11)の端部でインキを回収している間、回収部分の液面が下がってインキ貯留部(11)の中央側から回収部分へインキが移動し、インキの流れが生じる。これによって、インキは撹拌され、インキ貯留部(11)内のインキ粘度の高まりを抑えることができる。
尚、インキ循環モード中、ノズル(４)を「中間高さ位置」のままとすれば、ノズル(４)がインキ貯留部(11)内のインキを撹拌して、インキ粘度上昇を一層効果的に防止できる。
【００２５】
インキ循環モードにおいて、単に、『回収動作』と『供給動作』を交互に繰り返すだけでは、繰り返しサイクルを速めると、回収時のインキが密閉タンク(６)や流通管(44)内に多量に残存したままの状態で、インキタンク(３)側からインキ貯留部(11)へのインキ供給がなされる。この場合、インキ貯留部(11)とインキタンク(３)の間で実質的に交換されるインキの量が少なく、インキ循環の効果が低減する。
実施例の様に、『回収動作』と『供給動作』の夫々の後で、『補助回収動作』を加えて、密閉タンク(６)や流通管(44)に残存するインキをインキタンク(３)に戻し、密閉タンク(６)及び流通管(44)をほぼ空にしてから、インキ貯留部(11)からインキを回収すれば、回収したインキの大部分をインキタンク(３)にインキタンク(３)に戻すことができる。このため、インキ貯留部(11)とインキタンク(３)との間で交換されるインキ量の増やして、インキ循環の効果を高めることができる。
『補助回収動作』は、ノズル(４)が、インキ回収とインキ供給を行っていない横移動中に行われるから、『補助回収動作』を加えてもインキ循環の１サイクルに要する時間が長くなることはなく、インキタンク(３)とインキ貯留部(11)のインキの循環量が減ることはない。
【００２６】
インキ回収モード
ロール(１)(２)の回転を停止し、ノズル(４)を「低位置」に下ろす。
『回収動作』を行ってインキ貯留部(11)のインキをインキタンク(３)に回収する。
インキ回収の間、ノズル(４)は、インキ貯留部(11)の略全長に亘って１又は複数回往復走行する。
インキ回収の間、ロール(１)(２)の回転を停止するのは、「低位置」にあるノズル(４)が、ロール間へ噛み込むことを防止するためである。
インキ貯留部(11)内のインキは、「低位置」のノズル(４)に作用する真空圧によって密閉タンク(６)側に吸引回収されるから、ノズル(４)をインキ貯留部(11)の全長に亘って１、２回往復させれば、インキ貯留部(11)内の殆どの量のインキを吸引回収できる。
【００２７】
洗浄モード
Ａ、Ｂの２つの工程及び『回収動作』、『補助回収動作』からなる。
Ａ工程は、ロールの洗浄と、前記『補助回収動作』を平行して行なう。
Ｂ工程は、ロールの洗浄と、第１ポンプ手段Ｐ1の密閉タンク(６)内の洗浄を行う。
廃液の回収を行う。
流通管(44)の切換え部(46)を洗浄廃液放出部(５)側に切り換えた状態で、Ａ工程からスタートする。
インキ付けロール(１)と絞りロール(２)を印刷中と同じ様に回転させつつ、洗浄液供給部(７)をＯＮにしてロール表面に洗浄液を供給する。ロール表面のインキを洗い流した洗浄廃液は、インキ貯留部(11)に溜まる。
上記動作と平行して、『補助回収動作』を行い、密閉タンク(６)及び流通管(44)に残存しているインキの残存量を可及的に少なくする。
次に、『回収動作』に移って、インキ貯留部(11)内の洗浄廃液を、洗浄廃液放出部(５)に放出する。洗浄廃液が流通管(44)を通過して洗浄廃液放出部(５)へ放出される際に、流通管(44)の内面が洗浄廃液で洗浄される。前記の如く、流通管(44)内面には殆んど付着していないから、洗浄廃液が通過するだけで、洗浄効果が得られる。
次にＢ工程に移る。
Ｂ工程は、洗浄液供給部(７)と密閉タンク(６)内の洗浄液噴射ノズル(71)がＯＮとなり、ロール表面と密閉タンク(６)内に洗浄液が供給される。
ロールは２回目の洗浄が成される。この２回目のロール洗浄の間に、第２ポンプ手段Ｐ2は「逆運転」、密閉タンク(６)のバルブ(63)は「閉」、密閉タンク(６)は「加圧」の条件下で、密閉タンク(６)内の洗浄も行われる。
密閉タンク(６)は上部が円筒状、下部は逆円錐状に形成され、該タンク(６)の天井壁(62)に位置している洗浄液噴射ノズル(71)から、洗浄液が円錐状に拡がって噴射されるため、タンク内に洗浄液の噴射の死角はなく、タンク内面にほぼ均等に洗浄液が衝突して、タンク内面に薄層状に付着しているインキを洗い流すことができる。
次に『補助回収動作』に移って、洗浄廃液を密閉タンク(６)から流通管(44)へ押し出すと共に、第２ポンプ手段Ｐ2によって洗浄廃液放出部(５)へ放出する。
次に再び『回収動作』を行って、インキ貯留部(11)に溜まった洗浄廃液を洗浄廃液放出部(５)へ放出する。
上記の如く、流通管(44)には、１回目ロール洗浄の廃液、密閉タンク内洗浄の廃液、２回目ロール洗浄の廃液、即ち、洗浄廃液が３回も通過するため、流通管(44)内面に対する洗浄効果は高くなる。
必要に応じて、上記Ｂ動作、或いは密閉タンク(６)の洗浄動作だけを行う。
上記動作を完了すれば、インキ貯留部(11)への別の色のインク供給の準備が整う。
【００２８】
本発明のインキ供給・回収装置は、インキタンク(３)を印刷機の外側に配備できるから、インキタンク(３)へのインキの補充に際し、印刷機内にインキタンクがある場合の様に、印刷ユニットＵ1、Ｕ2、Ｕ3間を開く必要がない。又、インキタンク(３)へのインキ補充は、いつでも自由に出来るため、印刷中でもインキ補充ができ、印刷機の稼働率を高めることに大いに貢献できる。
又、インキタンク(３)を低位置に配置することによって、インキの補充が楽にできる。
又、インキ貯留部(11)内のインキ又は洗浄廃液の回収は、第２ポンプ手段Ｐ2によって密閉タンク(６)内を負圧にすることによる吸引回収によって行われるため、回収速度が速く、且つインキ貯留部(11)にインキ又は洗浄廃液を殆んど残すことなく回収できるため、インキの無駄や、洗浄排液が次のインキに混じることを可及的に防止できる。
【００２９】
インキ粘度が高くなれば、インキに薄め液を加えて粘度を下げる必要があるが、本発明の場合、インキタンクから検査用インキを簡単に掬い取ることができるので、ザーンカップ等による粘度検査を簡単にでき、且つ、インキタンクへの薄め液を供給する際も、何の支障もない。
【００３０】
上記実施例の説明は本発明を説明するためのものであって、特許請求の範囲に記載の発明を限定し、或いは該範囲を減縮する様に解すべきではない。本発明の各部構成は、上記実施例に限らず、特許請求の範囲に記載の技術的範囲内で、種々の変形が可能であることは勿論である。
【００３１】
例えば、第２ポンプ手段Ｐ2は、チュービングポンプに限定されるものではなく、流体を正、逆方向に切り換えで移送できれば、ポンプの種類は問わない。
又、一方向にのみ流体移送可能な２基のポンプを、移送方向が異なる様に配備し、モードに応じて必要な方のポンプを作動させてもよい。
【００３２】
インキ循環モードの制御、密閉タンク(６)内の洗浄を含むロール洗浄のモードも上記に限定されるものではなく、夫々の目的を達することが出来れば任意に制御できるのは勿論である。
【００３３】
流通管(44)の切換え部(46)も、フレキシブルチューブ(44c)を手動でインキタンク(３)と洗浄廃液放出部(５)に切り換えることに限定はされず、流通管(44)の下端に電磁式切換弁(図示せず)を介して、インキタンク(３)と洗浄廃液放出部(５)側へ短い配管を行ない、切換弁によって、流通管(44)をインキタンク(３)側或いは洗浄廃液放出部(５)側へ切り換えることができる。
【００３４】
実施例では、図３に示す、印刷運転中のインキ回収とインキ供給によるインキ循環サイクルにおいて、ノズル(４)にてインキ貯留部(11)の端部を適宜区間(例えば５０cm)走行させながらインキを回収したが、ノズル(４)をインキ付けロール(１)の端部側で停止状態で吸引回収しても可く、インキ循環サイクルにおけるインキの吸引回収では必ずしもノズル(４)を一定区間走行させる必要はない。
【００３５】
実施例の洗浄廃液放出部(５)は、印刷機設置床に開設した溝(25)であるが、廃液専用タンクとすることも勿論可能である。
【００３６】
実施例では、インキ付けロール(１)に版胴(９)を直接に接触させているが、インキ付けロール(１)と版胴(９)との間に中間ロール(図示せず)を介在させて、インキ付けロール(１)から間接的に版胴(９)にインキを転移させることもできる。
【００３７】
又、上記実施例では、インキ付けロール(１)上のインキを絞る絞り部材(20)として絞りロール(２)を用いたが、これに限定されることはなく、図６に示す如く、インキ付けロール(１)に対して該ロールの全長に亘って帯状板(22)を押圧接触させ、両者の間にインキ貯留部(11)を形成することもできる。
【００３８】
本発明は、フレキソインキに限らず、低粘度で乾燥速度も良好なグリコール系インキに対しても実施できるのは勿論であり、
【図面の簡単な説明】
【００３９】
【図１】印刷機の概略正面図である。
【図２】印刷ユニットの一部を破断した斜面図である。
【図３】インキ供給・回収装置の説明図である。
【図４】密閉タンクに対するエアー回路の説明図である。
【図５】ノズルの動作説明図である。
【図６】インキ付けロールに対する絞り部材の他の実施例の断面図である。
【図７】従来の速乾性インキの循環路の説明図である。
【図８】出願人が以前提案したインキ供給・回収装置を具えた印刷ユニットの一部を破断した斜面図である。
【図９】各モードに於けるポンプ手段等の動作表。
【符号の説明】
【００４０】
１  インキ付けロール
11  インキ貯留部
２  絞りロール
３  インキタンク
４  ノズル
５  洗浄廃液放出部
６  密閉タンク
61  流通孔
63  バルブ
７  洗浄液供給部
【図１】
2005262811.tif 000003
【図２】
2005262811.tif 000004
【図３】
2005262811.tif 000005
【図４】
2005262811.tif 000006
【図５】
2005262811.tif 000007
【図６】
2005262811.tif 000008
【図７】
2005262811.tif 000009
【図８】
2005262811.tif 000010
【図９】
2005262811.tif 000011